(57)【特許請求の範囲】
【請求項１】
複数枚に分離されたふた片を、浴槽の上面をスライドさせることによって均一に拡げたり、畳むことができるようにしたスライド式の浴槽ふたであって、浴槽ふたを構成する短冊状の各ふた片は隅部付近と、隣接する他方のふた片の下面内方部とをジョイント部材によってそれぞれ連結してあり、且つ各ふた片の両端部に取付けるキャップの一側縁上部に庇部を突成すると共に、当該庇部の下面に、隣接する他方のふた片の両端部に取付けるキャップの他側上面部が重なり合うように構成したことを特徴とするスライド式浴槽ふた。
【請求項２】
複数枚に分離されたふた片を、浴槽の上面をスライドさせることによって均一に拡げたり、畳むことができるようにしたスライド式の浴槽ふたであって、浴槽ふたを構成する短冊状の各ふた片は隅部付近と、隣接する他方のふた片の下面内方部とをジョイント部材によってそれぞれ連結してあり、且つ各ふた片の長手方向一側縁上部に庇部を突成すると共に、当該庇部の下面に、隣接する他方のふた片の長手方向他側の上面部が重なり合うように構成したことを特徴とするスライド式浴槽ふた。
【請求項３】
ふた片同士を連結するジョイント部材が、薄手の軟質合成樹脂製シート状物からなる請求項１または請求項２記載のスライド式浴槽ふた。
【請求項４】
ふた片同士を連結するジョイント部材が、薄手の軟質合成樹脂製シート状物からなり、当該シート状物の両端部に突条を突設し、当該突条が密嵌し得る凹溝を各ふた片の隅部付近と下面内方部の二箇所に凹設して、シート状物の両端部に突設してある突条の一方をふた片の隅部付近に凹設してある凹溝に嵌着すると共に、他方の突条を隣接する他方のふた片の下面内方部に凹設してある凹溝に嵌着してふた片同士を連結するようにした請求項１または請求項２記載のスライド式浴槽ふた。
【請求項５】
ふた片同士を連結するジョイント部材が、可撓性を有する線材またはテープ部材からなり、当該線材またはテープ部材がふた片同士を二箇所以上において連結するようにしてある請求項１または請求項２記載のスライド式浴槽ふた。
【発明の詳細な説明】
【０００１】
【発明の属する技術分野】
本発明は浴槽の上面を覆って湯の温度が低下したり、浴室内に湯気が立ちのぼるのを防ぐための浴槽ふたに係り、特に簡単な操作で拡げたり、コンパクトに畳めるようになしたスライド式の新規な浴槽ふたに関するものである。
【０００２】
【従来の技術】
浴槽の上面を覆う浴槽ふたとしては、これまでに二枚ないし数枚に分割されたアルミ・樹脂複合板等からなる平板状剛性体を組合せて浴槽の上面を覆うようにした組合せふたの他、合板等よりなる短冊状ふた片の複数枚を所要の間隔を保持させた状態で配置し、その表裏全体を軟質合成樹脂シートで被覆して折り畳み収納を可能とした折り畳みふたや、硬質合成樹脂製の細長中空部材の端面同士を軟質合成樹脂製の連結部材を介して並列に連結し、巻き込みができるようにしたシャッター式の浴槽ふたが知られている。
【０００３】
【発明が解決しようとする課題】
上記したように組合せふた、折り畳みふた及びシャッターふたは既に一般に用いられているが、その何れもが浴槽の上面に被せたり、外したりするのに相応の労力を要する等の問題点がある。すなわち、組合せふたの場合には、浴槽の上面から外して重ね置く際に、各平板状剛性体を持ち上げなければならず、高齢者や子供には操作できない場合もあった。また、折り畳みふたの場合には全体を覆っている、例えば可塑剤を多量に配合した軟質塩化ビニルシート等からなる合成樹脂シートが浴槽上面に密着して、スムーズに折り畳みができないという不具合がある。
【０００４】
さらに、シャッターふたの場合には浴槽上面において巻き込みができるので、一見操作性は良好のようにみえるが、浴槽廻りの壁面に介護用の手摺り等が設置されている場合には当該手摺りがシャッターふたを巻き上げる際の障害になるという問題点がある。また、巻き込んだシャッターふたを浴槽上面から外すときには浴槽ふたの全重量が負荷となるのでやはり多くの労力を要すると共に、浴室内の壁面などに立て掛けたようなときに巻き込んだものが解けてきて倒れるようなこともあり危険であった。
【０００５】
そこで、本発明は前記した従来の浴槽ふたの不具合点を解消し、高齢者や子供でも片手で簡単に浴槽上面に拡げたり、逆にコンパクトに畳めることができるようになした操作性のきわめて良好なスライド式浴槽ふたを提供することを目的とするものである。
【０００６】
【課題を解決するための手段】
上記目的を達成するための本発明の構成を詳述すれば、請求項１に係る発明は、複数枚に分離されたふた片を、浴槽の上面をスライドさせることによって均一に拡げたり、畳むことができるようにしたスライド式の浴槽ふたであって、浴槽ふたを構成する短冊状の各ふた片は隅部付近と、隣接する他方のふた片の下面内方部とをジョイント部材によってそれぞれ連結してあり、且つ各ふた片の両端部に取付けるキャップの一側縁上部に庇部を突成すると共に、当該庇部の下面に、隣接する他方のふた片の両端部に取付けるキャップの他側上面部が重なり合うように構成したことを特徴とするスライド式浴槽ふたである。
【０００７】
請求項２に係る発明は、複数枚に分離されたふた片を、浴槽の上面をスライドさせることによって均一に拡げたり、畳むことができるようにしたスライド式の浴槽ふたであって、浴槽ふたを構成する短冊状の各ふた片は隅部付近と、隣接する他方のふた片の下面内方部とをジョイント部材によってそれぞれ連結してあり、且つ各ふた片の長手方向一側縁上部に庇部を突成すると共に、当該庇部の下面に、隣接する他方のふた片の長手方向他側の上面部が重なり合うように構成したことを特徴とするスライド式浴槽ふたである。
【０００８】
請求項３に係る発明は、ふた片同士を連結するジョイント部材が、薄手の軟質合成樹脂製シート状物からなる請求項１または請求項２記載のスライド式浴槽ふたである。
【０００９】
また、請求項４に係る発明は、ふた片同士を連結するジョイント部材が、薄手の軟質合成樹脂製シート状物からなり、当該シート状物の両端部に突条を突設し、当該突条が密嵌し得る凹溝を各ふた片の隅部付近と下面内方部の二箇所に凹設して、シート状物の両端部に突設してある突条の一方をふた片の隅部付近に凹設してある凹溝に嵌着すると共に、他方の突条を隣接する他方のふた片の下面内方部に凹設してある凹溝に嵌着してふた片同士を連結するようにした請求項１または請求項２記載のスライド式浴槽ふたである。
【００１０】
さらに、請求項５に係る発明は、ふた片同士を連結するジョイント部材が、可撓性を有する線材またはテープ部材からなり、当該線材またはテープ部材がふた片同士を二箇所以上において連結するようにしてある請求項１または請求項２記載のスライド式浴槽ふたである。
【００１１】
本発明に係る浴槽ふたは、以上のようにふた片同士を隅部付近と、他方のふた片の下面内方部をジョイント部材によって連結すると共に、庇部を形成してあるので、従来の組合せふた、折り畳みふた及びシャッターふたとは異なって、浴槽のフランジ部において先端に位置するふた片を起立させてそのまま横方向にスライドさせれば、各ふた片の庇部またはキャップに突成した庇部が、その手前のふた片またはキャップの他側上面部によって自然に持ち上げられ、起立した状態となってフランジ部との当接面積がきわめて小さくなり、摩擦抵抗が減るので僅かな力によりスムーズに浴槽上面を開口させることができる。
【００１２】
また、施蓋の際は先端のふた片を前記とは逆に軽く引っ張るだけで均一に浴槽上面を覆うことができる。したがって、本発明によれば高齢者や子供であっても容易に操作することができると共に、一種のドミノ倒しと同様の感覚で浴槽ふたを開け締めできるので入浴の際の楽しみの一つとすることができる。
【００１３】
【発明の実施の形態】
以下、本発明に係るスライド式浴槽ふたの具体的構成を図示の実施例に基づき詳細に説明する。
図１は各ふた片の両端開口部に取付けるキャップの一側縁上部に庇部を突成した本発明スライド式浴槽ふたの一実施形態を示す部分側面図、図２は図１の平面図、図３は図１に示す実施形態における端面キャップを取り除いた状態の各ふた片の側面図、図４は各ふた片の一側縁上部に庇部を突成した本発明スライド式浴槽ふたの一実施形態を示す部分斜視図、図５は各ふた片を畳んだときのジョイント部材とふた片の関係を示す側面図、図６はジョイント部材の一実施形態を示す側面図、図７および図８は浴槽のフランジ部において本発明スライド式浴槽ふたを操作する際の一例を示す説明図である。
【００１４】
図中１は押出成形あるいはブロー成形などの既知の合成樹脂成形法によって作製された所要の厚みをもった平面からみて短冊状をなすふた片であり、当該ふた片１の複数枚の並置によって浴槽２の上面開口全体を覆うことができるようになっている。本発明はこのような複数枚に分離されたふた片１を、浴槽２の上面フランジ部においてスライドさせるだけの簡単な操作で拡げたり、畳むことができるようになしたものである。
【００１５】
先ず、図１ないし図３に示す実施例は、各ふた片１の両端開口部にキャップ３を嵌着するタイプのものであり、キャップ３を外した状態で各ふた片１の端面形状は通常のほぼ矩形状をなしている（図３）。この実施例の場合、ふた片１同士の連結は、各ふた片１の隅部４付近と、隣接する他方のふた片１の下面内方部５とをジョイント部材６によってそれぞれ連結するようにしてある。
【００１６】
なお、ジョイント部材６の取付位置は、ふた本来の保温性を考えた場合、各ふた片１の下面隅角部付近が最も好ましいものであるが、スライド機能を奏させるための位置としては下面隅角部に限定されるものではなく、ふた片１の隅部上面でも中央部でもよいし、あるいは隅部付近に含まれる限り、多少下面の内方部に入った箇所において連結するようにしても何ら差し支えない。
【００１７】
ジョイント部材６としては、ポリプロピレンなどをベースレジンとした薄手の軟質合成樹脂製シート状物が好適に用いられ、当該軟質合成樹脂製シート状物の一端縁を一方のふた片１の隅部４付近、上記のように好ましくは下面側隅角部付近に、たとえば熱融着させ、他端縁を隣接する他方のふた片１の下面内方部５に同様に熱融着させてふた片１同士の連結を図るようにする。
【００１８】
あるいはジョイント部材６としての薄手の軟質合成樹脂製シート状物の両端部に、図６に示すように硬質合成樹脂からなる突条７を突成し、当該突条７が密嵌し得る凹溝８を各ふた片１の隅部４付近と下面内方部５の二箇所に凹設して、シート状物の両端部に突設してある一方の突条７を、ふた片１の隅部４付近に凹設してある凹溝８内に嵌着すると共に、他方の突条７を、隣接する他方のふた片１の下面内方部５に凹設してある凹溝８内に嵌着してふた片１同士を連結するようにしてもよい。
【００１９】
さらに、ふた片１同士を連結するジョイント部材６は、特に図示しないが可撓性を有する線材またはテープ部材をもって構成することもでき、当該線材またはテープ部材によってふた片１同士を二箇所以上において連結することができる。
なお、この場合の線材またはテープ部材は可撓性ないし復元性を有する限り、合成樹脂材以外の繊維製あるいはピアノ線のような金属製線材などを用いることも充分可能である。
【００２０】
この実施例におけるキャップ３は一側縁上部に、外方に突出する庇部９を突成してあり、この庇部９の下面に、隣接する他方のふた片１の両端部に取付けてあるキャップ３の他側上面部１０が重なり合うように構成してある。なお、キャップ３の一側縁上部に突成してある庇部９の下面に、隣接するふた片１の端部に嵌着してあるキャップ３の他側上面部１０が重なり易くするためと、折り畳み操作を一層スムーズに行えるようにするため、キャップ３の他側上面部１０に傾斜を設けておくようにするとよい。
【００２１】
この実施例の場合、浴槽２の上面に被せてあるふた片１を畳む際には、初列目のふた片１を手で起こすと、次列目のふた片１のキャップ３に突成してある庇部９が初列目のキャップ３の他側上面部１０によって自然に起立し、順次連鎖的にふた片１が起立することになるので、そのままスライドさせるだけで簡単に畳むことができる。畳み終えた各ふた片１は図５に示すように積み重ねた状態で、例えば浴槽２の上面フランジ部などに載置することができる。その際、ジョイント部材６が積み重ねのときの障害となるようなことはない。
【００２２】
一方、浴槽２の上面開口を覆うときは、初列目のふた片１を前記とは逆の方向にスライドさせるだけで簡単に整然と拡げることができる。
なお、最後列のふた片１の下面を浴槽２の上面フランジ部に適宜の係合手段によって固定した状態にしておくと、一層良好な操作性を確保することができる。
【００２３】
上記した実施例は各ふた片１の両端開口部に取付けるキャップ３に、ふた片１を起立させるための庇部９を突成したものであるが、これ以外にも図４に示すように、各ふた片１の長手方向一側縁上部に庇部１１を突成すると共に、当該庇部１１の下面に、隣接する他方のふた片１の長手方向他側の上面部１２が重なり合うように構成して前記実施例と同様の効果を挙げるようにすることもできる。
なお、この場合においても、ふた片１同士の連結は前記と同様に、各ふた片１の隅部４付近と、隣接する他方のふた片１の下面内方部５とをジョイント部材６によってそれぞれ連結するものである。
【００２４】
この実施例によった場合は、ふた片１をブロー成形によって製することにより端面キャップを省くようにすることも可能であるが、押出成形によって庇部１１を具備したふた片１を押し出し、両端開口部にキャップ３を嵌め付けるようにしてもよいのは勿論であり、この場合、キャップ３にも庇部９を突成して意匠性を向上させるようにすることもできる。
【００２５】
ふた片１自体に庇部１１を突成した実施例のものにおいても、前記と同様に初列目のふた片１を図７に示すように持ち上げると、次列目のふた片１の庇部１１が立ち上がり連鎖的に起立して、そのまま図７及び図８に示すように左方向にスライドさせるだけで、浴槽２の上面を開口させることができる。
【００２６】
【発明の効果】
このように、本発明スライド式浴槽ふたによった場合は、きわめて簡単な操作で浴槽上面に整然と拡げたり、あるいは畳むことができ、高齢者や子供でも介護者などの手を煩わすことなしに充分に対応することができる。また、ふた片が連鎖的に起き上がる様は、恰も逆ドミノ倒しの感覚であり、子供などにとっては入浴の際の楽しみの一つとすることができる。
【図面の簡単な説明】
【図１】ふた片の両端開口部に取付けるキャップの一側縁上部に庇部を突成した本発明スライド式浴槽ふたの一実施形態を示す部分側面図である。
【図２】図１に示すスライド式浴槽ふたの部分平面図である。
【図３】図１に示す実施形態における端面キャップを取り除いた状態の各ふた片の側面図である。
【図４】ふた片の一側縁上部に庇部を突成した本発明スライド式浴槽ふたの一実施形態を示す部分斜視図である。
【図５】ふた片を畳んだときのジョイント部材とふた片の関係を示す側面図である。
【図６】ジョイント部材の一実施形態を示す側面図である。
【図７】浴槽のフランジ部において本発明スライド式浴槽ふたを操作する際の一例を示す説明図である。
【図８】浴槽のフランジ部において本発明スライド式浴槽ふたを操作する際の一例を示す説明図である。
【符号の説明】
１：ふた片                        ２：浴槽
３：キャップ                      ４：隅部
５：下面内方部                    ６：ジョイント部材
７：突条                          ８：凹溝
９：庇部                        １０：上面部
１１：庇部                        １２：上面部
【図１】
0004493242.tif 000002
【図２】
0004493242.tif 000003
【図３】
0004493242.tif 000004
【図４】
0004493242.tif 000005
【図５】
0004493242.tif 000006
【図６】
0004493242.tif 000007
【図７】
0004493242.tif 000008
【図８】
0004493242.tif 000009